【事件の表示】
　平成１１年特許願第２２６９４５号「画像処理装置、画像処理方法、及び記録媒体」拒絶査定不服審判事件〔平成１３年　２月２３日出願公開、特開２００１−　５２１６９、請求項の数（１８）〕について、次のとおり審決する。
【結　論】
　原査定を取り消す。
　本願の発明は、特許すべきものとする。
【理　由】
１．本願発明
　本願の請求項１〜１８に係る発明は、明細書の特許請求の範囲の請求項１〜１８にその記載のあるとおりのものであるところ、本願特許請求の範囲の請求項１に係る発明（以下、「本願発明」という。）は、次のとおりのものである。
　
　「【請求項１】　撮影画像から画像パターンを認識する画像処理装置であって、
　前記撮影画像を入力する入力部と、
　前記撮影画像から所定の画像パターン条件を満たした注目部位を検出する検出部と、
　前記注目部位が所定の割合の大きさで含まれる注目領域を前記撮影画像から抽出して部分画像を生成する生成部と、
　前記部分画像から文字情報を検出する文字情報検出部と、
　前記文字情報と、前記撮影画像および前記部分画像との対応関係に基づいて関連情報を生成する関連情報生成部と、
　前記関連情報に基づいてフォルダを作成し、前記撮影画像、前記部分画像、および前記文字情報を前記フォルダに格納するフォルダ格納部と、
　前記撮影画像、前記部分画像および前記文字情報を出力する形式を示す出力形式情報を前記関連情報に基づいて生成する形式情報生成部と、
　前記撮影画像、前記部分画像、および前記文字情報を、前記フォルダおよび前記出力形式情報とともに記録媒体に記録する記録部と
　を備える画像処理装置。」
　
　なお、他の請求項２ないし１８に記載された発明は、次のとおりである。
【請求項２】　前記注目部位は、定規であり、
　長尺状の四角形の形状、および複数の異なる色相を有するという特徴を前記定規の画像パターン条件として記憶するパターン条件記憶部をさらに備える請求項１に記載の画像処理装置。
【請求項３】　前記注目部位は、黒板であり、
　長方形の輪郭形状、および所定の位置に突形部分を有する輪郭線を前記黒板の画像パターン条件として記憶するパターン条件記憶部をさらに備える請求項１に記載の画像処理装置。
【請求項４】　前記形式情報生成部は、前記出力形式情報に前記撮影画像および前記部分画像を前記関連情報に基づいて埋め込む手段を有する請求項１乃至請求項３のいずれかに記載の画像処理装置。
【請求項５】　前記形式情報生成部は、所定の定型書式に前記撮影画像および前記部分画像を前記関連情報に基づいて埋め込んで前記出力形式情報を生成する手段を有する請求項１乃至請求項４のいずれかに記載の画像処理装置。
【請求項６】　前記形式情報生成部は、前記撮影画像および前記部分画像を縮小させた状態で出力させる前記出力形式情報を前記関連情報に基づいて生成する手段を有する請求項１乃至請求項５のいずれかに記載の画像処理装置。
【請求項７】　前記生成部は、前記撮影画像および前記部分画像を縮小する手段を有し、
　前記形式情報生成部は、縮小された前記撮影画像および前記部分画像を出力させる前記出力形式情報を前記関連情報に基づいて生成する手段を有する請求項１乃至請求項６のいずれかに記載の画像処理装置。
【請求項８】　前記形式情報生成部は、縮小された状態の前記撮影画像および前記部分画像のうち少なくともいずれかを拡大した状態で出力させる前記出力形式情報を前記関連情報に基づいて生成する手段をさらに有する請求項６又は請求項７に記載の画像処理装置。
【請求項９】　前記形式情報生成部は、前記出力形式情報に前記文字情報を前記関連情報に基づいて埋め込む手段を有する請求項１乃至請求項８のいずれかに記載の画像処理装置。
【請求項１０】　前記形式情報生成部は、前記文字情報を所望の大きさの文字で出力させる前記出力形式情報を前記関連情報に基づいて生成する手段を有する請求項１乃至請求項９に記載の画像処理装置。
【請求項１１】　前記記録部は、前記文字情報を前記出力形式情報とともに前記記録媒体にさらに記録する手段を有する請求項１乃至請求項１０のいずれかに記載の画像処理装置。
【請求項１２】　前記出力形式情報に基づいて前記撮影画像および前記部分画像を印刷する印刷部をさらに備える請求項１乃至請求項１１のいずれかに記載の画像処理装置。
【請求項１３】　前記印刷部は、前記出力形式情報に基づいて前記文字情報を印刷する手段をさらに有する請求項１２に記載の画像処理装置。
【請求項１４】　前記検出部は、複数の前記撮影画像の各々から前記注目部位を検出する手段を有し、
　前記生成部は、前記注目部位が含まれる注目領域を複数の前記撮影画像の各々から抽出して複数の部分画像を生成する手段を有し、
　前記関連情報生成部は、複数の前記部分画像の各々が複数の前記撮影画像のうちいずれの前記撮影画像と対応するかを示す関連情報を生成する手段を有し、
　前記フォルダ格納部は、前記関連情報に基づいて複数のフォルダを作成し、対応する前記撮影画像と前記部分画像とを、他の撮影画像および他の部分画像が格納されるフォルダと異なる前記フォルダに格納する手段を有する請求項１乃至請求項１３のいずれかに記載の画像処理装置。
【請求項１５】　前記生成部は、前記撮影画像における前記注目領域の位置情報を抽出する位置抽出部をさらに備え、
　前記フォルダ格納部は、前記撮影画像および前記部分画像が格納された前記フォルダに前記位置情報をさらに格納する手段を有し、
　前記記録部は、前記位置情報を前記フォルダとともに前記記録媒体に記録する手段を有する請求項１乃至請求項１４のいずれかに記載の画像処理装置。
【請求項１６】　前記撮影画像に含まれる前記注目領域を指定する領域指定部をさらに備え、
　前記生成部は、前記領域指定部により指定された前記注目領域の位置情報を生成する手段を有し、
　前記フォルダ格納部は、前記撮影画像および前記部分画像が格納された前記フォルダに前記位置情報をさらに格納する手段を有し、
　前記記録部は、前記位置情報を前記フォルダとともに前記記録媒体に記録する手段を有する請求項１乃至請求項１４のいずれかに記載の画像処理装置。
【請求項１７】　前記形式情報生成部は、前記位置情報を出力する形式をさらに示す前記出力形式情報を前記関連情報に基づいて生成する手段を有する請求項１５または請求項１６に記載の画像処理装置。
【請求項１８】　前記生成部は、前記注目部位が含まれる注目領域を拡大して部分画像を生成する手段をさらに有する請求項１乃至請求項１７のいずれかに記載の画像処理装置。
　　
２．引用例
（１）特開平０６−１６２１０４号公報
（平成１９年２月２６日付けの拒絶理由通知書にて引用された。）
　「文書要素を表示する表示画面を有する文書要素の検索装置において、文書画像を入力する第１の手段と、上記文書画像の文書要素および検索属性を登録する第２の手段と、上記文書要素および上記検索属性を蓄積する第３の手段と、上記文書要素を検索する第４の手段とを有することを特徴とする文書要素の検索装置。」
　
（２）特開平０９−１１４８５７号公報
（平成１９年２月２６日付けの拒絶理由通知書にて引用された。）
　「複数の工事現場写真画像をデジタル画像データとして入力し（ＳＴ４）、
　入力された工事現場写真画像に付する表題、工事の工種、種別、項目を含むキーワードを入力し（ＳＴ５）、
　上記キーワードを工事現場写真ガイドラインに沿った木構造となし、これらのキーワードを各階層毎のテーブルに格納して、最下層に位置するキーワードを上記デジタル画像データと１対１に対応させ、関連付けられたキーワード及び画像を格納して画像データベースを構築し（ＳＴ６）、
　検索すべき写真のキーワードを指定して、画像データベースから指定されたキーワードが付与された画像データを検索して工事写真をキーワードと共に表示し（ＳＴ１３）、
　選択された写真を予め定めた書式に基づいて編集し上記キーワードと共に印刷する（ＳＴ１４）工事現場写真の登録・検索・編集方法。」
　
（３）特開平０９−０８１５８３号公報
（平成１９年２月２６日付けの拒絶理由通知書にて引用された。）
　「 各種ドキュメントの画像を取り込んでファイリングするドキュメントファイリング装置において、
　前記ドキュメントの画像を入力する画像入力手段と、この画像入力手段により入力された前記ドキュメントの全体画像から部分画像を切り出す部分画像切り出し手段と、前記全体画像と部分画像とを対応づけてドキュメントデータとして格納するファイル手段とを具備し、前記ドキュメントを検索する際に、前記部分画像をインデックスとしてユーザに呈示することを特徴とするドキュメントファイリング装置。」
　
（４）特開平０９−１４７１１９２００２号公報
（平成１９年５月２８日付の拒絶査定時に周知例として提示された。）
　「 機器を操作する人物の顔領域を含む画像を入力し、この入力された画像から操作対象人物の顔領域および顔内部の特徴点位置を特定し、これら特定した顔領域および顔内部の特徴点位置を用いて顔の方向とその時間的な統計を検出することによって、操作人物の注目方向と感情を含む操作状態とを推定することを特徴とする人物注目方向検出方式。」
　
３．対比
　本願発明と引用例１（特開平０６−１６２１０４号公報）に記載された発明（以下、「引用例」及び「引用発明」という。）とを対比すると、本願発明と引用発明とは次の点で相違する。
　
（相違点）
　本願発明は、注目部位が所定の割合の大きさで含まれる注目領域を撮影画像から抽出して部分画像を生成する生成部と、
　前記部分画像から文字情報を検出する文字情報検出部と、
　前記文字情報と、前記撮影画像および前記部分画像との対応関係に基づいて関連情報を生成する関連情報生成部と、
　前記関連情報に基づいてフォルダを作成し、前記撮影画像、前記部分画像、および前記文字情報を前記フォルダに格納するフォルダ格納部と、
　前記撮影画像、前記部分画像および前記文字情報を出力する形式を示す出力形式情報を前記関連情報に基づいて生成する形式情報生成部と、
　前記撮影画像、前記部分画像、および前記文字情報を、前記フォルダおよび前記出力形式情報とともに記録媒体に記録する記録部とを備える画像処理装置であるのに対して、
　
　引用発明は、文書要素を表示する表示画面を有する文書要素の検索装置において、文書画像を入力する第１の手段と、文書画像の文書要素および検索属性を登録する第２の手段と、文書要素および検索属性を蓄積する第３の手段と、文書要素を検索する第４の手段とを有することを特徴とする文書要素の検索装置である点。
　
４．当審の判断
　前記相違点について判断するに、引用例（特開平０６−１６２１０４号公報）には、本願発明の構成要件である次の構成要件、すなわち、
(i)撮影画像から所定の画像パターン条件を満たした注目部位を検出する検出部と、
　前記注目部位が所定の割合の大きさで含まれる注目領域を前記撮影画像から抽出して部分画像を生成する生成部と、
(ii)前記部分画像から文字情報を検出する文字情報検出部と、
　前記文字情報と、前記撮影画像および前記部分画像との対応関係に基づいて関連情報を生成する関連情報生成部と、
(iii)前記関連情報に基づいてフォルダを作成し、前記撮影画像、前記部分画像、および前記文字情報を前記フォルダに格納するフォルダ格納部と、
(iv)前記撮影画像、前記部分画像および前記文字情報を出力する形式を示す出力形式情報を前記関連情報に基づいて生成する形式情報生成部と、
(v)前記撮影画像、前記部分画像、および前記文字情報を、前記フォルダおよび前記出力形式情報とともに記録媒体に記録する記録部
が記載されていない。
　すなわち、本願発明は、文字情報と、撮影画像および部分画像との対応関係に基づいて関連情報を生成し、次に、この関連情報に基づいてフォルダを作成し、撮影画像、部分画像、および文字情報を前記フォルダに格納し、更に、撮影画像、部分画像および文字情報を出力する形式を示す出力形式情報を、関連情報に基づいて生成し、その後、 撮影画像、部分画像、および文字情報を、フォルダおよび前記出力形式情報とともに記録媒体に記録する電子アルバムを自動的に作成するラボシステムであるが、引用発明は文書を構成する文書要素を検索の手段とする検索装置である。
  つまり、引用発明は、１枚の撮像画像から必要とする枚数の部分画像及び文字情報を作成し、関連情報に基づいてフォルダを生成し、撮影画像、部分画像、及び文字情報このフォルダに格納し、最終的にシステムが全自動的に、撮影画像、部分画像、および文字情報を、フォルダおよび出力形式情報と共に、記録媒体に記録することを全く開示しない。
　そして、原審が引用した引用例２及び３に記載された発明も、キーワード、更には、部分画像を検索手段とする検索装置であり、本願発明を特定する構成要件を開示するものではない。
　故に、引用例と周知例とを組み合わせても本願発明を構成するに至るとはいえない。
　
　したがって、本願発明は、引用発明及び他の引用例に記載された発明、そして周知事項に基づいて当業者が容易に発明をすることができたとすることはできない。
  また、請求項２ないし１８に係る発明は、請求項１に係る発明を直接または間接的に引用する従属形式の発明であるから、請求項２ないし１８に係る発明も、引用発明及び他の引用例に記載された発明、そして周知事項に基づいて当業者が容易に発明をすることができたとすることはできない。
　また、他の拒絶理由を見いだせない。
　よって、結論のごとく審決する。